(57)【特許請求の範囲】
【請求項１】
パチンコ機本体に対して開閉可能に取り付けられて、遊技領域を視認可能にする透明板を保持する前枠と、
前記パチンコ機本体に設けられた発射通路に位置する遊技球を前記遊技領域に向けて弾く発射杆と、
発射通電パターンに基づいて前記発射杆を駆動変位せしめて遊技球の発射を行うと共に、保持通電パターンに基づいて前記発射杆を所定の位置で停止保持せしめる駆動装置と、
前記前枠と前記パチンコ機本体の何れか一方に設けられ、所定方向への回動量の増加に伴って遊技球の発射強度を増加せしめる操作レバーを具備する操作ハンドルと、
前記操作ハンドルに遊技者が触れているか否かを検出して検出信号を発するタッチ検出手段と、
前記操作レバーが回動操作された状態で前記タッチ検出手段によって遊技者が前記操作ハンドルに触れていることが検出されている場合に、前記発射通電パターンにて駆動装置を駆動する一方、前記タッチ検出手段によって遊技者が前記操作ハンドルに触れていることが検出されていない場合に、前記保持通電パターンにて駆動装置を駆動する発射制御回路と、
前記前枠と前記パチンコ機本体に跨って設けられて、前記タッチ検出手段から前記発射制御回路へ前記検出信号を伝送する検出信号伝送路と、
前記前枠が閉じられた状態で前記検出信号伝送路を接続して前記タッチ検出手段から前記発射制御回路への前記検出信号の伝送を可能にする一方、該前枠が開けられた状態で該検出信号伝送路を遮断して該タッチ検出手段から該発射制御回路への該検出信号の伝送を不能にする伝送路接続／遮断機構と
を、備えていると共に、
前記前枠において該前枠を閉じた状態で前記パチンコ機本体と重ね合わせられる重ね合わせ面に設けられて該前枠の外縁から離れるに従って該パチンコ機本体に近づくように傾斜する傾斜面と、該傾斜面に設けられた前枠側端子と、前記パチンコ機本体に設けられて前記前枠が閉じられた状態で前記傾斜面に対する直交方向において前記前枠側端子と重ね合わせられることにより該前枠側端子と接触する本体側端子と、を含んで前記伝送路接続／遮断機構が構成されていることを特徴とするパチンコ機。
【発明の詳細な説明】
【技術分野】
【０００１】
本発明は、遊技領域を視認可能にする透明板を保持する前枠が不正に開放された状態での遊技を防止するパチンコ機に関するものである。
【背景技術】
【０００２】
パチンコ機は、遊技者が操作レバーを回動操作することによって、発射球貯留皿に貯留されている遊技球を１個ずつ発射するようになっている。そして、遊技者は、遊技領域に設けられた入賞装置を狙って遊技球を発射し、入賞装置への遊技球の入賞に基づいて払い出される賞球を得ることを目的として、遊技をする。
【０００３】
そこにおいて、遊技領域は、パチンコ機本体に対して開閉可能に設けられた前枠で保持されている透明板を通じて遊技者に視認されるようになっている。また、遊技領域に設けられた遊技釘の間に遊技球が挟まったり、入賞装置の入口に配された扉状部材が遊技球を噛んでしまう等、遊技領域において不具合が発生した場合には、前枠を開けることにより、遊技領域で発生した不具合を解消する作業が行われるようになっている。
【０００４】
すなわち、前枠を開けてしまえば、遊技領域に設けられた入賞装置等に対して、直接触れることが出来るようになっているのである。それ故、従来から、前枠を僅かに開けて隙間を形成し、この隙間から挿し入れたピアノ線によって入賞装置を開放した状態で遊技球を発射することにより、賞球を不正に得る等の不正行為が行われていた。
【０００５】
そこで、特許文献１において、前枠としてのガラス扉が開放された際に駆動装置としての発射モータへの電源供給を停止して、ガラス扉が不正に開放された状態で遊技球の発射が出来ないようにする、パチンコ機におけるガラス扉不正開放防止装置が提案されている。
【０００６】
ところで、遊技球の発射は、特許文献２や特許文献３等に記載されているように、付勢手段の付勢力や重力の作用によって初期位置に位置せしめられている発射杆を、駆動装置としてのステッピングモータやロータリーソレノイドによって、付勢手段の付勢力や重力に抗して駆動変位せしめて、発射通路としての発射レールにある遊技球を発射杆によって遊技領域に向けて弾くことで行われるようになっている。従って、特許文献１に記載の如く、駆動装置への電源供給を停止すると、以下のような問題がある。
【０００７】
すなわち、駆動装置としてステッピングモータが採用されている場合、例えば、発射杆が付勢手段としての巻ばねの付勢力に抗して駆動変位せしめられている途中でステッピングモータへの電源供給が止められると、巻ばねの付勢力がステッピングモータのディテントトルクよりも大きければ、発射杆が巻ばねの付勢力によって初期位置に戻ってしまう。また、駆動装置としてロータリーソレノイドが採用されている場合、例えば、発射杆が付勢手段としての巻ばねの付勢力や重力に逆らって駆動変位せしめられている途中でロータリーソレノイドへの電源供給が止められると、発射杆が巻ばねの付勢力や重力の作用によって初期位置に戻ってしまう。このような発射杆の動きは、本来の動きとは異なるものであるから、発射杆によって遊技球が弾かれた場合であっても、遊技球は遊技領域に到達せず、元の位置に戻ってきてしまう。そうすると、次に遊技球を発射しようとした際に、発射通路に遊技球があるにも拘わらず、他の遊技球が発射通路に誘導されてくることとなり、その結果、２個の遊技球が同時に発射されるという問題があった。
【０００８】
【特許文献１】特公平４−１５７１３号公報
【特許文献２】特開２００４−１７４１０７号公報
【特許文献３】特開２００２−６５９７２号公報
【発明の開示】
【発明が解決しようとする課題】
【０００９】
ここにおいて、本発明は、上述の如き事情を背景として為されたものであって、その解決課題とするところは、前枠が開けられた際に遊技球の発射を停止しても、遊技球の発射を停止したところから再開することが出来る、新規な構造のパチンコ機を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。
【００１１】
本発明に係るパチンコ機は、（ａ）パチンコ機本体に対して開閉可能に取り付けられて、遊技領域を視認可能にする透明板を保持する前枠と、（ｂ）パチンコ機本体に設けられた発射通路に位置する遊技球を遊技領域に向けて弾く発射杆と、（ｃ）発射通電パターンに基づいて発射杆を駆動変位せしめて遊技球の発射を行うと共に、保持通電パターンに基づいて発射杆を所定の位置で停止保持せしめる駆動装置と、（ｄ）前枠とパチンコ機本体の何れか一方に設けられ、所定方向への回動量の増加に伴って遊技球の発射強度を増加せしめる操作レバーを具備する操作ハンドルと、（ｅ）操作ハンドルに遊技者が触れているか否かを検出して検出信号を発するタッチ検出手段と、（ｆ）操作レバーが回動操作された状態でタッチ検出手段によって遊技者が操作ハンドルに触れていることが検出されている場合に、発射通電パターンにて駆動装置を駆動する一方、タッチ検出手段によって遊技者が操作ハンドルに触れていることが検出されていない場合に、保持通電パターンにて駆動装置を駆動する発射制御回路と、（ｇ）前枠とパチンコ機本体に跨って設けられて、タッチ検出手段から発射制御回路へ検出信号を伝送する検出信号伝送路と、（ｈ）前枠が閉じられた状態で検出信号伝送路を接続してタッチ検出手段から発射制御回路への検出信号の伝送を可能にする一方、前枠が開けられた状態で検出信号伝送路を遮断してタッチ検出手段から発射制御回路への検出信号の伝送を不能にする伝送路接続／遮断機構とを、備えていると共に、（ｉ）前枠において前枠を閉じた状態でパチンコ機本体と重ね合わせられる重ね合わせ面に設けられて前枠の外縁から離れるに従ってパチンコ機本体に近づくように傾斜する傾斜面と、傾斜面に設けられた前枠側端子と、パチンコ機本体に設けられて前枠が閉じられた状態で傾斜面に対する直交方向において前枠側端子と重ね合わせられることにより前枠側端子と接触する本体側端子と、を含んで伝送路接続／遮断機構が構成されていることを、特徴とする。
【００１２】
このような本発明に従う構造とされたパチンコ機においては、前枠が開けられた場合、検出信号伝送路が遮断されて、タッチ検出手段から発射制御回路への検出信号の伝送が出来なくなることから、発射制御回路において、タッチ検出手段によって遊技者が操作ハンドルに触れていることが検出されていないと判断される。その結果、停止保持パターンにて駆動せしめられる駆動装置によって、発射杆が所定の位置で停止保持される。
【００１３】
また、前枠が閉じられて、検出信号伝送路が再び接続された場合、タッチ検出手段から発射制御回路への検出信号の伝送が可能となり、発射制御回路において、操作レバーが回動操作された状態でタッチ検出手段によって遊技者が操作ハンドルに触れていることが検出されていると判断されると、発射通電パターンに基づいた駆動装置による発射杆の駆動変位が可能となる。その結果、発射杆は、所定の位置から再び駆動変位せしめられる。
【００１４】
従って、本発明に係るパチンコ機においては、前枠が開けられて遊技球の発射が停止された場合であっても、停止された状態から再び遊技球の発射を開始することが可能となる。
【００１５】
なお、本発明において、発射杆を初期位置に向けて返戻作動可能に配されていることが望ましい。これにより、発射杆の原点位置を設定することが容易に可能となる。そこにおいて、発射杆を初期位置に向けて返戻作動可能に配する方法としては、例えば、発射杆の揺動中心軸に外挿配置された巻ばねの付勢力を利用する方法や、発射杆に作用する重力を利用する方法等がある。
【００１６】
また、本発明の駆動装置は、通電に基づいて駆動せしめられるものであれば、特に限定されることないが、小型である点や制御が容易である点等から、ステッピングモータやロータリーソレノイド等が採用される。
【００１７】
更にまた、本発明において、発射杆が停止保持される所定の位置とは、例えば、タッチ検出手段によって遊技者が操作ハンドルに触れていることが検出されていないと発射制御回路において判断された時点での位置であっても良いし、遊技球を弾いた位置であっても良い。
【発明を実施するための最良の形態】
【００１８】
以下、本発明を更に具体的に明らかにするために、本発明の実施形態について、図面を参照しつつ、詳細に説明する。
【００１９】
図１には、本発明の第一の実施形態としてのパチンコ機１０が示されている。このパチンコ機１０は、パチンコ機本体としての中枠１２に設けられた操作ハンドル１４に対して回動操作可能に組み付けられた操作レバー１６が回動操作されることにより、中枠１２に設けられた発射球貯留皿１８に貯留されている遊技球が、中枠１２に対して開閉可能に組み付けられた前枠２０で保持されている透明板２２を通して遊技者に視認される遊技領域（図示せず）に向けて発射されるようになっている。
【００２０】
より詳細には、操作レバー１６は、操作ハンドル１４内に配設された巻ばね（図示せず）の付勢力が回動操作方向（本実施形態では、反時計回りの方向）と反対の方向（本実施形態では、時計回りの方向）に及ぼされた状態で、操作ハンドル１４に対して回動可能に配設されている。これにより、操作レバー１６は、巻ばねによる付勢力に抗して、反時計回りの方向に回動操作されるようになっている。そして、操作レバー１６に対して回動操作力が及ぼされなくなった場合には、操作レバー１６は、巻ばねの付勢力によって、初期位置に戻るようになっている。
【００２１】
また、操作レバー１６の表面には、導電性の皮膜が形成されている。かかる導電性の皮膜は、操作ハンドル１４内に配設されたタッチ検出手段としてのタッチセンサ２４（図２参照）に接続されている。これにより、遊技者の指が操作レバー１６に触れると、タッチセンサ２４から検出信号が出力されるようになっている。
【００２２】
なお、タッチセンサ２４としては、例えば、人体がもつ静電容量への充電現象を利用して、その変化を検出する検出回路によって構成された従来から公知のもの、具体的には、操作レバー１６が接続される発振回路が内部に設けられており、操作レバー１６に人体（例えば、遊技者の指）が接触すると発振回路の発振のバランスを崩して発振を停止させて、かかる発振の停止の有無により人体の接触／非接触状態を検出するようにした検出回路によって構成されているものが採用される。
【００２３】
さらに、操作ハンドル１４内には、発射停止スイッチ２６（図２参照）が配設されている。かかる発射停止スイッチ２６は、操作レバー１６の近くにおいて揺動可能に設けられた押圧操作片２８によって押圧操作可能とされている。なお、発射停止スイッチ２６は、従来から公知のマイクロスイッチによって構成されている。
【００２４】
そこにおいて、操作レバー１６が初期位置に位置せしめられた状態では、発射停止スイッチ２６が押圧操作片２８によって押圧操作された状態となっている。そして、操作レバー１６が巻ばねの付勢力に抗して回動操作された状態では、発射停止スイッチ２６が押圧操作片２８によって押圧操作されていない状態となる。これにより、操作レバー１６が回動操作された状態では、押圧操作片２８を遊技者が押圧操作することにより、発射停止スイッチ２６が押圧操作されるようになっている。
【００２５】
更にまた、操作ハンドル１４内には、操作レバー１６の回動量を検出するボリュームスイッチ３０（図２参照）が配設されている。なお、図面上では明示されていないが、本実施形態では、操作レバー１６と一体的に回転せしめられるピニオンとボリュームスイッチ３０に連結されているピニオンが噛合わされており、それによって、操作レバー１６の回動量がボリュームスイッチ３０によって検出されるようになっている。
【００２６】
続いて、パチンコ機１０が備えている発射制御回路３２について、図２に基づいて、説明する。発射制御回路３２は、発振器３４，発射パルス生成部３６，出力処理部３８を含んで構成されている。そして、出力処理部３８には、タッチセンサ２４と発射停止スイッチ２６とボリュームスイッチ３０が接続されている。
【００２７】
発振器３４は、従来から公知の水晶振動子を含んで構成されており、パルス信号を発生させるものである。このような発振器３４は、発射パルス生成部３６に接続されている。
【００２８】
発射パルス生成部３６は、所謂分周回路によって構成されており、発振器３４によって生成されたパルス信号の周波数を基準となる発射間隔（本実施形態では、０．６秒）で遊技球を発射できるような周波数に変更するものである。このような発射パルス生成部３６は、出力処理部３８に接続されている。
【００２９】
出力処理部３８は、各種の回路素子を組み合わせることによって、或いは、専用設計されたＩＣを適当に組み合わせることによって構成されており、タッチセンサ２４からの検出信号の有無や発射停止スイッチ２６からの検出信号の有無、ボリュームスイッチ３０からの入力信号の有無，発射パルス生成部３６からのパルス信号の入力の有無を検出するようになっている。このような出力処理部３８には、駆動装置としての発射ソレノイド４２と、後述する球送りカセット５３を駆動するための球送りソレノイド４４が接続されている。
【００３０】
発射ソレノイド４２は、出力軸が設けられたロータと、コイルが巻き回されたヨークを備えた、従来から公知のロータリーソレノイドによって構成されており、ロータの磁極とコイルへの通電によって発生するヨークの磁極との間で生ぜしめられる磁力を利用して出力軸を回転駆動せしめるようになっている。そして、発射ソレノイド４２は、図３に示されているように、適当な取付部材４６を介して、取付板４８に固定されている。そして、取付板４８が中枠１２に取り付けられることにより、発射ソレノイド４２がパチンコ機１０に取り付けられるようになっている。
【００３１】
また、発射ソレノイド４２の出力軸には、発射杆５０が設けられている。この発射杆５０には、付勢手段としての巻ばね（図示せず）による付勢力が常時及ぼされており、かかる巻ばねの付勢力によって、発射杆５０はストッパゴム（図示せず）に当接せしめられている。即ち、発射杆５０は、ストッパゴムに当接することによって、巻ばねによる付勢力が及ぼされている方向への変位が規制されるようになっている。因みに、図３では、発射杆５０が巻ばねの付勢力によってストッパゴム当接せしめられた状態が示されており、本実施形態では、発射杆５０が巻ばねの付勢力によってストッパゴムに当接せしめられた位置（図３で示されている位置）が初期位置となる。
【００３２】
そして、出力処理部３８は、タッチセンサ２４からの検出信号が入力されている一方、発射停止スイッチ２６からの検出信号が入力されていない場合、即ち、遊技者が操作レバー１６に触っており、且つ、操作レバー１６を回動操作している場合、発射パルス生成部３６から入力されるパルス信号を参照して、ボリュームスイッチ３０からの回動量信号に対応した回転速度で発射杆５０を駆動変位せしめる発射通電パターンを生成し、かかる発射通電パターンに基づいて発射ソレノイド４２に電流を流す正方向通電制御処理を実行する。
【００３３】
これにより、発射杆５０が巻ばねの付勢力に抗して駆動変位せしめられる。その結果、発射通路としての発射レール５２に載置された遊技球が、発射杆５０によって、遊技領域に向けて弾かれる。なお、発射レール５２は発射ソレノイド４２と一体的に取り扱い可能とされており、発射ソレノイド４２が中枠１２に取り付けられることによって、発射レール５２が中枠１２に設けられるようになっている。
【００３４】
そこにおいて、本実施形態では、発射杆５０が遊技球を弾く位置まで駆動変位せしめられると、発射杆５０は他のストッパゴム（図示せず）に当接するようになっている。即ち、発射杆５０は、他のストッパゴムに当接することによって、駆動変位方向への変位が規制されるようになっている。
【００３５】
そして、発射杆５０が遊技球を弾いた後、出力処理部３８は、発射ソレノイド４２のロータを逆方向へ駆動変位せしめるための逆方向通電パターンに基づいて発射ソレノイド４２に電流を流す逆方向通電制御処理を実行する。なお、本実施形態では、逆方向通電パターンは、遊技球を所定間隔で連続して発射するために、発射通電パターンに含まれている。そして、上述の如き逆方向通電制御処理が実行されることにより、発射杆５０が初期位置に向かって返戻作動することとなる。なお、発射杆５０に対して常時及ぼされている巻ばねの付勢力は、停電等が発生しても発射杆５０を原点位置に戻すためのものである。
【００３６】
また、出力処理部３８は、上述の正方向通電制御処理が終了した後、球送りソレノイド４４への通電を行う。これにより、球送りカセット５３が作動せしめられて、発射球貯留皿１８に貯留されている遊技球が１個だけ発射レール５２上に送られてくるようになっている。
【００３７】
一方、タッチセンサ２４と発射停止スイッチ２６の両方から検出信号が入力されている場合（遊技者が操作レバー１６を触っているが、操作レバー１６を回動操作していない場合、或いは、遊技者が操作レバー１６に触っており、且つ、操作レバー１６を回動操作しているが、押圧操作片２８を押圧操作している場合）や、タッチセンサ２４からの検出信号が入力されていない場合（遊技者が操作レバー１６に触っていない場合）には、出力処理部３８は、発射パルス生成部３６から入力されるパルス信号を参照して、ボリュームスイッチ３０からの回動量信号に対応した回転速度で発射杆５０を駆動変位せしめる発射通電パターンを生成し、かかる発射通電パターンに基づいて発射ソレノイド４２に電流を流す正方向通電制御処理ではなく、発射ソレノイド４２のロータを現在の位置で停止保持するための保持通電パターンに基づいて発射ソレノイド４２に電流を流す停止保持通電制御処理を実行する。これにより、発射杆５０が現在の位置で停止保持されて、遊技球の発射が行われないようになっている。なお、出力処理部３８は、タッチセンサ２４と発射停止スイッチ２６の両方から検出信号が入力されたり、タッチセンサ２４からの検出信号が入力されなくなった場合に、停止保持通電制御処理を直ちに実行せず、発射杆５０が遊技球を弾いた位置まで駆動変位してから停止保持通電制御処理を実行するようにしても良い。
【００３８】
そこにおいて、本実施形態では、図４に示されているように、タッチセンサ２４と発射制御回路３２を接続してタッチセンサ２４からの検出信号を発射制御回路３２に伝送する検出信号伝送路５４が前枠２０と中枠１２に跨るように配設されている。そして、中枠１２に設けられた固定側コネクタ５６と、前枠２０に設けられた可動側コネクタ５８によって構成された伝送路接続／遮断機構としての接続スイッチ６０が接続されている状態、即ち、固定側コネクタ５６と可動側コネクタ５８が嵌まり合っている状態で、検出信号伝送路５４が電気的に接続されて、タッチセンサ２４からの検出信号が発射制御回路３２に伝送されるようになっている。
【００３９】
より詳細には、本実施形態の固定側コネクタ５６は、合成樹脂材等の絶縁材で形成されており、図５及び図６にも示されているように、突出端面（高さ方向の一端面）に開口する嵌合凹溝６２が形成された構造とされている。特に本実施形態では、嵌合凹溝６２の両側壁６４，６６の突出端面は、溝幅方向内方へ行くに従って次第に溝底側へ下る傾斜面とされている。
【００４０】
また、本実施形態の固定側コネクタ５６には、銅等の導電性材料で形成された接続端子６８，７０が二つ設けられている。そこにおいて、本実施形態の接続端子６８，７０は、それぞれ、嵌合凹溝６２の両側壁６４，６６のうち一方の側壁６４の内側壁面に設けられている。特に本実施形態では、二つの接続端子６８，７０は、それぞれ、嵌合凹溝６２の底付近だけに設けられており、嵌合凹溝６２の底から嵌合凹溝６２の開口端に亘って設けられていない。
【００４１】
また、二つの接続端子６８，７０のうち一方の接続端子６８は、センサ側伝送路７２によって、タッチセンサ２４に接続されており、他方の接続端子７０は、回路側伝送路７４によって、発射制御回路３２に接続されている。
【００４２】
このような構造とされた固定側コネクタ５６は、中枠１２における前枠２０との重ね合わせ面に開口成形された凹所７６に収容位置せしめられた状態で、中枠１２に設けられている。特に本実施形態では、固定側コネクタ５６は、中枠１２において前枠２０の回動中心軸とは反対側に位置せしめられる縦桟部分に設けられている。
【００４３】
なお、固定側コネクタ５６の中枠１２への固定は、例えば、固定側コネクタ５６を中枠１２に対して接着剤で固定する方法や、固定側コネクタ５６に形成された嵌合凹溝６２の底壁において中枠１２にネジ止めする方法等が、採用可能である。
【００４４】
そこにおいて、本実施形態では、上述の如く固定側コネクタ５６が中枠１２に設けられた状態で、固定側コネクタ５６に形成された嵌合凹溝６２の両側壁６４，６６は、中枠１２の幅方向で対向位置せしめられており、二つの接続端子６８，７０は、前枠２０の回動中心軸から離れた位置にある側壁６４の内側壁面に設けられている。
【００４５】
また、本実施形態では、上述の如く、固定側コネクタ５６が凹所７６に収容位置せしめられた状態で、固定側コネクタ５６に形成された嵌合凹溝６２の両側壁６４，６６は、中枠１２における前枠２０との重ね合わせ面から突出しないようにされている。
【００４６】
更にまた、本実施形態では、センサ側伝送路７２と回路側伝送路７４は、それぞれ、中枠１２内に配されている。そこにおいて、本実施形態では、センサ側伝送路７２は、操作ハンドル１４内から中枠１２内に延び出すように配されており、回路側伝送路７４は、中枠１２内から発射制御回路３２のほうへ延び出すように配されている。
【００４７】
一方、可動側コネクタ５８は、合成樹脂材等の絶縁材によって形成されており、図７及び図８にも示されているように、矩形平板形状を呈する基台部分７８に対して、矩形ブロック形状を呈する嵌合突部８０が一体形成された構造とされている。
【００４８】
また、本実施形態の可動側コネクタ５８には、銅等の導電性材料で形成された接続端子８２，８４が二つ設けられている。そこにおいて、これら二つの接続端子８２，８４は、嵌合突部８０の幅方向一方の側面に設けられている。特に本実施形態では、これらの二つの接続端子８２，８４は、嵌合突部８０の突出端（高さ方向の一端）付近だけに設けられており、嵌合突部８０の高さ方向の全体に亘って設けられていない。また、二つの接続端子８２，８４は、嵌合突部８０内に配された中継用伝送路８６によって接続されている。
【００４９】
このような構造とされた可動側コネクタ５８は、前枠２０における中枠１２との重ね合わせ面において中枠１２に設けられた固定側コネクタ５６に対応する位置に開口形成された凹所８８に基台部分７８が収容位置せしめられた状態で、前枠２０に設けられている。即ち、可動側コネクタ５８は、前枠２０の回動中心軸が位置するほうとは反対側の縦桟部分において、前枠２０に設けられているのである。
【００５０】
なお、可動側コネクタ５８の前枠２０への固定方法としては、例えば、基台部分７８を前枠２０に対して接着する方法や、基台部分７８において前枠２０にネジ止めする方法等が、採用可能である。
【００５１】
そこにおいて、上述の如く可動側コネクタ５８が前枠２０に設けられた状態で、嵌合突部８０の幅方向と前枠２０の幅方向が略一致しており、二つの接続端子８２，８４は、前枠２０の回動中心軸から離れたほうの端面に設けられている。
【００５２】
また、上述の如く可動側コネクタ５８が前枠２０に固定された状態で、基台部分７８の上面は、前枠２０における中枠１２との重ね合わせ面と略同じ高さ位置にある。換言すれば、基台部分７８は、前枠２０における中枠１２との重ね合わせ面から突出していないのである。
【００５３】
上述の如き構造とされたパチンコ機１０においては、前枠２０が開けられている場合、可動側コネクタ５８の嵌合突部８０と固定側コネクタ５６の嵌合凹溝６２が嵌まり合っておらず、可動側コネクタ５８の接続端子８２，８４と固定側コネクタ５６の接続端子６８，７０が接触していない状態となる。これにより、検出信号伝送路５４が、センサ側伝送路７２と中継用伝送路８６と回路側伝送路７４とに分割されて、遮断された状態となる。その結果、タッチセンサ２４からの検出信号が検出信号伝送路５４を通じて発射制御回路３２に入力されないようになる。
【００５４】
そして、タッチセンサ２４からの検出信号が発射制御回路３２に入力されなくなると、出力処理部３８は、正方向通電制御処理ではなく、停止保持通電制御処理を実行する。その結果、発射ソレノイド４２を構成するヨークとロータの間で作用する磁力によって、発射杆５０が現在の駆動位置で停止せしめられることとなる。
【００５５】
また、前枠２０が閉じられている状態では、可動側コネクタ５８の嵌合突部８０が固定側コネクタ５６の嵌合凹溝６２に嵌合せしめられる。これにより、可動側コネクタ５８の接続端子８２，８４と固定側コネクタ５６の接続端子６８，７０が接触して、センサ側伝送路７２と中継用伝送路８６と回路側伝送路７４が電気的に接続されることとなる。その結果、タッチセンサ２４からの検出信号が、センサ側伝送路７２と中継用伝送路８６と回路側伝送路７４によって構成された検出信号伝送路５４を通じて、発射制御回路３２に入力されることとなる。
【００５６】
そして、タッチセンサ２４からの検出信号が発射制御回路３２に入力されており、且つ、発射停止スイッチ２６からの検出信号が入力されていないのであれば、出力処理部３８は、正方向通電制御処理を実行する。その結果、発射杆５０が停止されていた位置から再び駆動変位せしめられることとなる。なお、発射杆５０が駆動変位の途中で停止されていた場合には、発射杆５０の停止位置を検出する停止位置検出手段を設けておき、かかる停止位置検出手段からの検出信号を参照して、発射杆５０の駆動変位を途中から再開する際の発射杆５０の速度を適当に設定するようにしても良い。また、発射杆５０が遊技球を弾いた位置で保持されていた場合には、出力処理部３８は、正方向通電制御処理ではなく、逆方向通電制御処理を実行する。
【００５７】
従って、上述の如き構造とされたパチンコ機１０においては、前枠２０が開けられて、遊技球の発射が停止された場合であっても、停止されたところから遊技球の発射を再開することが可能となる。
【００５８】
そこにおいて、本実施形態では、固定側コネクタ５６の接続端子６８，７０が嵌合凹溝６２の両側壁６４，６６のうち前枠２０の回動中心軸から離れたほうに位置する側壁６４の内側壁面に設けられていると共に、可動側コネクタ５８の接続端子８２，８４が前枠２０の回動中心軸から離れたほうに位置する側面に設けられていることから、前枠２０が開けられた際に、固定側コネクタ５６の接続端子６８，７０と可動側コネクタ５８の接続端子８２，８４が直ちに非接触状態となり易くなる。
【００５９】
特に本実施形態では、固定側コネクタ５６の接続端子６８，７０が嵌合凹溝６２の底付近だけに設けられていると共に、可動側コネクタ５８の接続端子８２，８４が嵌合突部８０の突出端付近だけに設けられていることから、前枠２０を僅かに開けた場合であっても、固定側コネクタ５６の接続端子６８，７０と可動側コネクタ５８の接続端子８２，８４が非接触状態となる。その結果、前枠２０を僅かに開放した場合であっても、遊技球の発射を停止することが可能となり、不正行為を有利に防止することが可能となる。
【００６０】
続いて、本発明の第二の実施形態のパチンコ機９０について、図９乃至１１に基づいて、説明する。なお、以下に記載の第二の実施形態において、前記第一の実施形態と同様な構造とされた部材及び部位については、図中に、第一の実施形態と同一の符号を付すことにより、それらの詳細な説明を省略する。
【００６１】
より詳細には、本実施形態では、前枠２０の下端付近において第一の可動側コネクタ９２が設けられていると共に、前枠２０の上端付近において第二の可動側コネクタ９４が設けられている。また、中枠１２には、第一の可動側コネクタ９２と対応する位置に第一の固定側コネクタ９６が設けられていると共に、第二の可動側コネクタ９４と対応する位置に第二の固定側コネクタ９８が設けられている。
【００６２】
なお、本実施形態では、第一の可動側コネクタ９２と第二の可動側コネクタ９４は、それぞれ、第一の実施形態で採用されていた可動側コネクタ（５８）において接続端子が一つしか設けられていない構造と同じであり、第一の固定側コネクタ９６と第二の固定側コネクタ９８は、それぞれ、第一の実施形態で採用されていた固定側コネクタ（５６）において接続端子が一つしか設けられていない構造と同じである。
【００６３】
また、第一の固定側コネクタ９６の接続端子１００は、中枠１２及び操作ハンドル１４内に配されたセンサ側伝送路７２によって、タッチセンサ２４に接続されている。更に、第一の可動側コネクタ９２の接続端子１０２は、前枠２０内に配された中継用伝送路１０４によって、第二の可動側コネクタ９４の接続端子１０６に接続されている。更にまた、第二の固定側コネクタ９８の接続端子１０８は、中枠１２内に配された回路側伝送路７４によって、発射制御回路３２に接続されている。
【００６４】
そこにおいて、本実施形態では、中継用伝送路１０４が、前枠２０に設けられて前枠２０と中枠１２を閉鎖状態に維持する枠鍵１１０によって、分断され得るようになっている。即ち、本実施形態の中継用伝送路１０４は、枠鍵１１０よりも第一の可動側コネクタ９２のほうに位置する第一の中継伝送路１１２と、枠鍵１１０よりも第二の可動側コネクタ９４のほうに位置する第二の中継伝送路１１４によって構成されているのである。
【００６５】
そして、枠鍵１１０が施錠されて、前枠２０と中枠１２が枠鍵１１０によって閉鎖状態に維持されている場合には、第一の中継伝送路１１２と第二の中継伝送路１１４が枠鍵１１０を介して接続されて、中継用伝送路１０４が分断されていない状態となる。一方、枠鍵１１０がかかっておらず、前枠２０と中枠１２が枠鍵１１０によって閉鎖状態に維持されていない場合には、第一の中継伝送路１１２と第二の中継伝送路１１４が枠鍵１１０を介して接続されておらず、中継用伝送路１０４が分断されている状態となる。
【００６６】
上述の如き構造とされたパチンコ機９０においては、前枠２０が閉じられて、第一の可動側コネクタ９２と第一の固定側コネクタ９６が接続されていると共に、第二の可動側コネクタ９４と第二の固定側コネクタ９８が接続されており、且つ、枠鍵１１０が施錠されている場合に、センサ側伝送路７２と中継用伝送路１０４（第一の中継伝送路１１２と第二の中継伝送路１１４）と回路側伝送路７４によって構成された検出信号伝送路が接続状態となり、タッチセンサ２４からの検出信号を発射制御回路３２に伝送できるようになっている。
【００６７】
一方、枠鍵１１０が外されり、第一の可動側コネクタ９２と第一の固定側コネクタ９６の接続が解除されたり、第二の可動側コネクタ９４と第二の固定側コネクタ９８の接続が解除された場合には、センサ側伝送路７２と中継用伝送路１０４と回路側伝送路７４で構成される検出信号伝送路が遮断された状態となり、タッチセンサ２４からの検出信号を発射制御回路３２に伝送することが出来ないようになっている。
【００６８】
従って、本実施形態のパチンコ機９０においても、第一の実施形態と同様な効果を得ることが出来る。
【００６９】
なお、上述の説明から明らかなように、本実施形態では、第一の可動側コネクタ９２と第一の固定側コネクタ９６，第二の可動側コネクタ９４と第二の固定側コネクタ９８，枠鍵１１０によって、伝送路接続／遮断機構が構成されている。
【００７０】
また、本実施形態では、枠鍵１１０が外された状態でも、センサ側伝送路７２と中継用伝送路１０４と回路側伝送路７４で構成される検出信号伝送路が遮断されるようになっていることから、合鍵を使って前枠２０を開放する不正行為に対しても、対応することが出来る。これにより、合鍵の存在を確認することが可能となる。その結果、枠鍵１１０を取り換える等して、合鍵を使用した不正行為が行われないようにすることが可能となる。
【００７１】
以上、本発明の幾つかの実施形態について詳述してきたが、これらはあくまでも例示であって、本発明は、かかる実施形態における具体的な記載によって、何等、限定的に解釈されるものではない。
【００７２】
例えば、前記第一の実施形態において、固定側コネクタ５６の接続端子６８，７０を嵌合凹溝６２の開口端付近だけに設ける一方、可動側コネクタ５８の接続端子８２，８４を嵌合突部８０の基端部分だけに設けるようにしても良い。また、前記第一の実施形態において、可動側コネクタ５８の接続端子８２，８４を嵌合突部８０の基端部分まで延ばすようにしても良い。更に、前記第一の実施形態において、可動側コネクタ５８の接続端子８２，８４を嵌合突部８０の基端部分に設ける一方、固定側コネクタ５６の接続端子６８，７０を嵌合凹溝６２の開口端から底付近まで延ばすようにしても良い。
【００７３】
更にまた、前記第一の実施形態において、図１２に示されているように、嵌合凹溝６２がＶ字断面で延びるように形成された固定側コネクタ５６を採用すると共に、図１３に示されているように、稜線を挟んで両側に流れる傾斜面が嵌合突部８０の突出端に形成された可動側コネクタ５８を採用することも可能である。この場合、前枠２０が開放された際に、固定側コネクタ５６の接続端子６８，７０と可動側コネクタ５８の接続端子８２，８４との接続状態を一層速やかに解除することが可能となる。なお、図１２及び図１３では、理解を容易にするために、第一の実施形態と同様な構造とされた部材及び部位については、図中に、第一の実施形態と同一の符号を付してある。
【００７４】
また、図１３に示されているように、嵌合突部８０を先細形状にする場合には、例えば、図１３に示されているが如く、一対の傾斜面を嵌合突部８０の突出端に形成する代わりに、嵌合突部８０の突出端側に凸となる円弧状湾曲面を嵌合突部８０の突出端に形成するようにしても良い。なお、この場合には、嵌合凹溝６２の内面は、嵌合突部８０の突出端面に対応する円弧状湾曲面となる。
【００７５】
そして、このような固定側コネクタ５６そのものの形状や固定側コネクタ５６の接続端子の形状、更には、可動側コネクタ５８そのものの形状や可動側コネクタ５８の接続端子の形状等は、第二の実施形態で採用されている第一の固定側コネクタ９６や第一の可動側コネクタ９２、更には、第二の固定側コネクタ９８や第二の可動側コネクタ９４に対しても、勿論、適用可能である。
【００７６】
また、前記第二の実施形態において、中継用伝送路１０４を枠鍵１１０によって分断されないようにしても良い。
【００７７】
更にまた、前記第一の実施形態において、可動側コネクタ５８と固定側コネクタ５６を、それぞれ、複数設けて、検出信号伝送路５４が前枠２０と中枠１２を行ったり来たりするようにしても良い。
【００７８】
また、前記第一及び第二の実施形態では、一対のコネクタで構成された接続スイッチ６０によって伝送路接続／遮断機構が構成されていたが、伝送路接続／社団機構は、例えば、磁石や赤外線，光を利用したもので構成されていても良い。
【００７９】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００８０】
【図１】本発明の第一の実施形態としてのパチンコ機を示す正面図。
【図２】同パチンコ機が備えている発射制御回路のブロック図。
【図３】同パチンコ機が備えている駆動装置を示す斜視図。
【図４】図１におけるＩＶ−ＩＶ方向の要部拡大断面図。
【図５】固定側コネクタの横断面図であって、図６のＶ−Ｖ方向の横断面図。
【図６】図５におけるＶＩ−ＶＩ断面図。
【図７】可動側コネクタの横断面図であって、図８のＶＩＩ−ＶＩＩ方向の横断面図。
【図８】可動側コネクタの側面図。
【図９】本発明の第二の実施形態としてのパチンコ機を示す正面図。
【図１０】図９におけるＸ−Ｘ方向の要部拡大断面図。
【図１１】図９におけるＸ−Ｘ方向の要部拡大断面図であって、他の部分の要部拡大断面図。
【図１２】本発明で採用可能な固定側コネクタの他の態様を示す平面図。
【図１３】本発明で採用可能な可動側コネクタの他の態様を示す平面図。
【符号の説明】
【００８１】
１０：パチンコ機，１２：中枠，１４：操作ハンドル，１６：操作レバー，２０：前枠，２２：透明板，２４：タッチセンサ，３２：発射制御回路，４２：発射ソレノイド，５０：発射杆，５４：検出信号伝送路，５６：固定側コネクタ，５８：可動側コネクタ
【図１】
0005092718.tif 000002
【図２】
0005092718.tif 000003
【図３】
0005092718.tif 000004
【図４】
0005092718.tif 000005
【図５】
0005092718.tif 000006
【図６】
0005092718.tif 000007
【図７】
0005092718.tif 000008
【図８】
0005092718.tif 000009
【図９】
0005092718.tif 000010
【図１０】
0005092718.tif 000011
【図１１】
0005092718.tif 000012
【図１２】
0005092718.tif 000013
【図１３】
0005092718.tif 000014